(57)【要約】      （修正有）【課題】分解可能な足浴装置を提供する。【解決手段】本分解可能な足浴装置は、足部マッサージ台１、筒状筐体２及び少なくとも１つの接続装置３を含む。足部マッサージ台１の上端面には、少なくとも１つの電動マッサージ装置１１が配置される。電動マッサージ装置１１の外周には、防水層１１１が被覆される。足部マッサージ台１の上端部には、取付環状溝が環状に設けられる。取付環状溝内には、取付環状溝の形状に対応する上、弾性を有する防水部材が嵌入される。筒状筐体２の底縁は、取付環状溝に接合される上、防水部材を押圧する。接続装置３は、一方の端部が筒状筐体２の外縁表面に取り付けられ、他方の端部が足部マッサージ台１の外縁表面に着脱可能に取り付けられる。取付環状溝を介し、筒状筐体２と足部マッサージ台１とを着脱させることができる。【選択図】図１
0003171535.tif 000002
【実用新案登録請求の範囲】
【請求項１】
足部マッサージ台、筒状筐体及び少なくとも１つの接続装置からなる分解可能な足浴装置であって、
前記足部マッサージ台の上端面には、少なくとも１つの電動マッサージ装置が配置され、前記電動マッサージ装置の外周には、防水層が被覆され、前記足部マッサージ台の上端部には、取付環状溝が環状に設けられ、前記取付環状溝内には、前記取付環状溝の形状に対応する上、弾性を有する防水部材が嵌入され、
前記筒状筐体の底縁は、前記取付環状溝に接合される上、前記防水部材を押圧し、
前記接続装置は、一方の端部が前記筒状筐体の外縁表面に取り付けられ、他方の端部が前記足部マッサージ台の外縁表面に着脱可能に取り付けられることを特徴とする分解可能な足浴装置。
【請求項２】
前記防水部材は防水シリコンであることを特徴とする請求項１に記載の分解可能な足浴装置。
【請求項３】
前記接続装置は、連結台及び係合片を有し、前記連結台は、前記筒状筐体の外縁表面に取り付けられ、前記係合片は、一方の端部が前記連結台に枢着され、他方の端部に係合鉤が設けられ、前記足部マッサージ台の外縁周壁の前記係合鉤に対応する位置には、開口が下方に設けられる上、前記係合鉤が係合される係合溝が設けられることを特徴とする請求項１に記載の分解可能な足浴装置。
【請求項４】
前記筒状筐体は、内層及び外層から構成され、前記内層の端部は、前記取付環状溝に嵌入される上、前記防水部材を押圧し、前記外層の外縁表面には、前記接続装置が取り付けられ、前記内層と前記外層との間には、断熱空間が形成されることを特徴とする請求項１に記載の分解可能な足浴装置。
【考案の詳細な説明】
【技術分野】
【０００１】
本考案は、分解可能な足浴装置に関し、特に、部材間を緊密に接合することができるため、水漏れ防止効果が高い上、分解可能なため、収納に便利な足浴装置に関する。
【背景技術】
【０００２】
現代人は、多忙であり、緊張状態、情緒不安定状態及び高ストレス状態が継続することにより、病気になることが多い。従って、如何にして健康的な生活を送るかは、現代人にとって軽視できない重要な課題となっている。
【０００３】
人体の各腺及び器官に対応する反射領域は、足部に存在する。そのため、両足は、人体の健康状態を映し出す縮図のようなものである。従って、足部をマッサージすることにより、身体の気及び血液の循環を改善し、内臓をリラックスさせ、経絡の通りを改善することができる。専門技術者のマッサージにより、高い治療効果を得ることができるが、長期に渡って専門技術者のマッサージを受ける場合、経済的な負担が大きいため、一部のユーザは、専門技術者によるマッサージの代わりに、足浴装置及び足部マッサージ装置を使用している。このため、各種の足浴装置及び足部マッサージ装置が市場に多く登場している。
【０００４】
一般に、従来の足浴装置は、桶部内に適温の湯を張り、その中に両足を浸して使用する。また、必要に応じ、湯の中に薬剤を添加することにより、治療効果を高めることができる。足浴装置を使用することにより、血液循環を活性化し、筋肉をリラックスさせ、細胞の代謝を高めることができる。また、一般に、従来の足部マッサージ装置は、内縁底部にマッサージ突起が設けられ、足裏をマッサージ突起に接触させることにより、足部に対するマッサージを行うものである。
【０００５】
足浴装置及び足部マッサージ装置は、それぞれ長所を有する。従って、水流を変化させる機能又は桶部の内縁底部のマッサージ突起により、足裏のツボをマッサージする機能を有する新型の足浴装置が案出された。
【０００６】
新型の足浴装置により、従来の足浴装置のマッサージ機能を有さないという欠点を解決することができた。しかし、従来の桶部にマッサージ装置が接合された足浴装置は、体積が非常に大きい。さらに、製造時、桶部とマッサージ装置とが緊密に固着されるため、両者を分解することができない。従って、収納に非常に不便である。
【０００７】
上述の従来の足浴装置の欠点に鑑み、本考案は、桶部とマッサージ装置とを係合接合することにより、両者を着脱させることができる足浴装置を提供するものである。また、桶部とマッサージ装置とを緊密に接合することができる上、分解することにより、体積を縮小できるため、収納に便利である。
【先行技術文献】
【特許文献】
【０００８】
【特許文献１】登録実用新案第３１２０７３７号
【考案の概要】
【考案が解決しようとする課題】
【０００９】
本考案の目的は、収納に便利な分解可能な足浴装置を提供することにある。
【課題を解決するための手段】
【００１０】
上述の課題を解決するために、本考案の分解可能な足浴装置は、足部マッサージ台、筒状筐体及び少なくとも１つの接続装置を含む。足部マッサージ台の上端面には、少なくとも１つの電動マッサージ装置が配置される。電動マッサージ装置の外周には、防水層が被覆される。足部マッサージ台の上端部には、取付環状溝が環状に設けられる。取付環状溝内には、取付環状溝の形状に対応する上、弾性を有する防水部材が嵌入される。筒状筐体の底縁は、取付環状溝に接合される上、防水部材を押圧する。接続装置の一方の端部は、筒状筐体の外縁表面に取り付けられる。接続装置の他方の端部は、足部マッサージ台の外縁表面に着脱可能に取り付けられる。取付環状溝を介し、筒状筐体と足部マッサージ台とを着脱させることができる上、筒状筐体と足部マッサージ台とを緊密に接合することができ、水漏れ防止効果が高く、収納に便利である。
【００１１】
防水部材は、防水シリコンである。筒状筐体が防水シリコンを押圧することにより、足部マッサージ台と筒状筐体との接合部分から水が漏れるのを防止することができる。
【００１２】
接続装置は、連結台及び係合片を含む。連結台は、筒状筐体の外縁表面に取り付けられる。係合片の一方の端部は、連結台に枢着される。係合片の他方の端部には、係合鉤が設けられる。足部マッサージ台の外縁周壁の係合鉤に対応する位置には、開口が下方に設けられる上、係合鉤が係合される係合溝が設けられる。接続装置により、足部マッサージ台と筒状筐体との接合効果が強化され、使用時、筒状筐体と足部マッサージ台とを緊密に接合し、外れるのを防止することができる。
【００１３】
筒状筐体は、内層及び外層から構成される。内層の端部は、取付環状溝に嵌入される上、防水部材を押圧する。外層の外縁表面には、接続装置が取り付けられる。また、内層と外層との間には、断熱空間が形成される。断熱空間により、水温低下を緩慢にすることができるため、使用時間を延長することができる。
【考案の効果】
【００１４】
本考案の分解可能な足浴装置は、接続装置により、筒状筐体と足部マッサージ装置とを着脱させることができる。また、筒状筐体と足部マッサージ装置とを緊密に接合することができる。また、分解することによって体積を縮小できるため、収納に便利である。
【図面の簡単な説明】
【００１５】
【図１】本考案の一実施形態による分解可能な足浴装置を示す分解斜視図である。
【図２】本考案の一実施形態による分解可能な足浴装置を示す斜視図である。
【図３】本考案の一実施形態による分解可能な足浴装置を示す一部断面側面図である。
【図４】本考案の一実施形態による分解可能な足浴装置の一部を示す拡大断面図である。
【考案を実施するための形態】
【００１６】
本考案は、分解可能な足浴装置を提供するものであり、本考案の目的、特徴および効果を示す実施形態を図面に沿って詳細に説明する。
【００１７】
図１及び図２を参照する。図１は、本考案の一実施形態による分解可能な足浴装置を示す分解斜視図である。図２は、本考案の一実施形態による分解可能な足浴装置を示す斜視図である。本考案の一実施形態による分解可能な足浴装置は、足部マッサージ台１、筒状筐体２及び少なくとも１つの接続装置３を含む。足部マッサージ台１、筒状筐体２及び少なくとも１つの接続装置３の接続関係及び機能を以下に説明する。
【００１８】
足部マッサージ台１の上端面には、ユーザの足部をマッサージする少なくとも１つの電動マッサージ装置１１が突設される。本実施形態中、電動マッサージ装置１１は、足部をマッサージする突起を有する。この突起が左右対称に設けられることにより、ユーザは、両足を同時にマッサージすることができる。突起に足部を接触させることにより、足裏のツボが刺激され、身体の気及び血液の循環が改善される。
【００１９】
電動マッサージ装置１１の外縁には、防水層１１１が設けられる。防水層１１１により、電動マッサージ装置１１の外縁から足部マッサージ台１内に水が浸入して損壊するのを防止することができる。
【００２０】
筒状筐体２の外縁は、足部マッサージ台１の外縁に対応した形状であるため、筒状筐体２を足部マッサージ台１の上方端部に嵌接することができる。これにより、ユーザは、必要に応じ、筒状筐体２を使用するか否かを自由に選択することができる。仮に、ユーザが足部マッサージ装置１のみを使用したい場合、足部マッサージ台１から筒状筐体２を取り外して使用すればよい。また、仮に、ユーザが足部をマッサージすると同時に足浴を行いたい場合、足部マッサージ台１と筒状筐体２とを互いに接合して使用すればよく、このように使用した場合、足部へのマッサージ効果を高めることができる。
【００２１】
接続装置３の一方の端部は、筒状筐体２の外縁表面に取り付けられる。接続装置３の他方の端部は、足部マッサージ台１の外縁表面に着脱可能に取り付けられる。接続装置３により、足部マッサージ台１と筒状筐体２とを緊密に接合することができる。これにより、使用時、筒状筐体２と足部マッサージ台１とが外れるのを防止することができる。
【００２２】
図３及び図４を参照する。図３は、本考案の一実施形態による分解可能な足浴装置を示す一部断面側面図である。図４は、本考案の一実施形態による分解可能な足浴装置の一部を示す拡大断面図である。本考案の一実施形態による分解可能な足浴装置は、防水部材４をさらに含む。本実施形態中、防水部材４は、防水シリコンである。また、本実施形態中、足部マッサージ台１の上端部には、取付環状溝１２が環状に設けられる。取付環状溝１２内には、取付環状溝１２の形状に対応する上、弾性を有する防水部材４が嵌入される。
【００２３】
筒状筐体２は、内層２１及び外層２２から構成される。また、内層２１と外層２２との間には、断熱空間２３が形成される。断熱空間２３により、水温低下を緩慢にすることができるため、使用時間を延長することができる。内層２１の端部は、取付環状溝１２に嵌入される上、防水部材４を押圧する。内層２１と防水部材４とが緊密に接合されることにより、足部マッサージ台１と筒状筐体２との接合部分から水が漏れるのを防止することができる。
【００２４】
接続装置３は、連結台３１及び係合片３２を含む。連結台３１は、外層２２の外縁表面に取り付けられる。係合片３２の一方の端部は、連結台３１に枢着される。係合片３２の他方の端部には、係合鉤３３が設けられる。足部マッサージ台１の外縁周壁の係合鉤３２に対応する位置には、開口が下方に設けられる上、係合鉤３３が係合される係合溝１３が設けられる。接続装置３により、足部マッサージ台１と筒状筐体２とを緊密に接合することができる。また、足部マッサージ台１と筒状筐体２と分解したい場合、枢動可能な係合片３２を係合溝１３から外せばよい。これにより、足浴装置の体積を縮小できるため、収納に便利である。
【符号の説明】
【００２５】
１  足部マッサージ台
１１  電動マッサージ装置
１１１  防水層
１２  取付環状溝
１３  係合溝
２  筒状筐体
２１  内層
２２  外層
２３  断熱空間
３  接続装置
３１  連結台
３２  係合片
３３  係合鉤
４  防水部材
【図１】
0003171535.tif 000003
【図２】
0003171535.tif 000004
【図３】
0003171535.tif 000005
【図４】
0003171535.tif 000006